(57)【要約】【課題】複数のシャッター装置の使用におけるユーザの利便性を向上させることが可能になる、電力供給装置、及び制御システムを提供すること。【解決手段】電力供給装置１００は、建物の複数の開口部の各々に設けられた複数のシャッター装置に対して電力を供給するための電力供給装置１００であって、複数のシャッター装置に対して電力を供給することが可能なバッテリ１０５と、複数のシャッター装置のいずれか１つを、バッテリ１０５から電力が供給される対象となる対象シャッター装置として選択的に指定する指定部１０７ａと、指定部１０７ａによって指定された対象シャッター装置に対してバッテリ１０５から電力を供給させる供給制御部１０７ｂと、を備えた。【選択図】図３
2019056203.tif 000002
【特許請求の範囲】
【請求項１】
建物の複数の開口部の各々に設けられた複数のシャッター装置に対して電力を供給するための電力供給装置であって、
前記複数のシャッター装置に対して電力を供給することが可能な外部電源手段と、
前記複数のシャッター装置のいずれか１つを、前記外部電源手段から電力が供給される対象となる対象シャッター装置として選択的に指定する指定手段と、
前記指定手段によって指定された前記対象シャッター装置に対して前記外部電源手段から電力を供給させる供給制御手段と、
を備えた電力供給装置。
【請求項２】
当該電力供給装置から電力を供給している前記対象シャッター装置である第１対象シャッター装置に代えて、前記第１対象シャッター装置とは異なる前記対象シャッター装置である第２対象シャッター装置に電力が供給する場合には、
前記供給制御手段は、前記第１対象シャッター装置に対する前記外部電源手段からの電力供給を停止させると共に、前記第２対象シャッター装置に対して前記外部電源手段から電力を供給させる、
請求項１に記載の電力供給装置。
【請求項３】
前記外部電源手段が破損する可能性が高い破損可能性状態であるか否かを判定する判定手段を備え、
前記供給制御手段は、
前記判定手段によって前記破損可能性状態でないと判定された場合には、前記対象シャッター装置に対する前記外部電源手段からの電力供給を継続させ、
前記判定手段によって前記破損可能性状態であると判定された場合には、前記対象シャッター装置に対する前記外部電源手段からの電力供給を停止させる、
請求項１又は２に記載の電力供給装置。
【請求項４】
前記外部電源手段は、
電力を蓄電するバッテリと、
電力を発生させる発電機と、を含み、
前記バッテリ又は前記発電機のいずれか一方を選択的に切り替えることにより、当該切り替えられた前記バッテリ又は前記発電機のいずれか一方からの前記対象シャッター装置に対する電力供給を可能とする切替手段を備え、
前記供給制御手段は、前記対象シャッター装置に対して前記切替手段によって切り替えられた前記バッテリ又は前記発電機のいずれか一方から電力を供給させる、
請求項１から３のいずれか一項に記載の電力供給装置。
【請求項５】
建物の複数の開口部の各々に設けられた複数のシャッター装置であって、対応する前記開口部を開閉するシャッターカーテンを備える複数のシャッター装置を制御するための制御システムであって、
請求項１から４のいずれか一項に記載の電力供給装置と、
前記複数のシャッター装置のうち、前記電力供給装置によって電力が供給される対象シャッター装置のシャッターカーテンを開閉移動させる開閉移動制御手段と、
を備えた制御システム。
【請求項６】
前記対象シャッター装置のシャッターカーテンの開閉移動に関する操作指示を受け付けるための操作手段を備え、
前記開閉移動制御手段は、前記操作手段によって受け付けられた前記操作指示に基づいて前記対象シャッター装置のシャッターカーテンを開閉移動させる、
請求項５に記載の制御システム。
【発明の詳細な説明】
【技術分野】
【０００１】
本発明は、電力供給装置、及び制御システムに関する。
【背景技術】
【０００２】
従来、建物の複数の開口部にそれぞれ設けられた複数シャッター装置に対して外部電源から電力を供給するシステムが提案されている。このようなシステムは、概略的には、２つのシャッター装置のうち、あらかじめ決められた一方のシャッター装置に対して電力を供給して当該シャッター装置のシャッターカーテンを開放させた後に、あらかじめ決められた他方のシャッター装置に対して電力を供給して当該シャッター装置のシャッターカーテンを開放させる。
【先行技術文献】
【特許文献】
【０００３】
【特許文献１】特開平１０−２４６０８４号公報
【発明の概要】
【発明が解決しようとする課題】
【０００４】
しかしながら、上記従来のシステムにおいては、２つのシャッター装置に対してあらかじめ決められた順に電力が供給されるので、２つのシャッター装置のうちユーザのニーズに対応するシャッター装置に対して電力を効果的に供給させることが難しいことから、複数のシャッター装置の使用におけるユーザの利便性の観点からは改善の余地があった。
【０００５】
本発明は、上記従来技術における課題を解決するためのものであって、複数のシャッター装置の使用におけるユーザの利便性を向上させることが可能になる、電力供給装置、及び制御システムを提供することを目的とする。
【課題を解決するための手段】
【０００６】
上述した課題を解決し、目的を達成するために、請求項１に記載の電力供給装置は、建物の複数の開口部の各々に設けられた複数のシャッター装置に対して電力を供給するための電力供給装置であって、前記複数のシャッター装置に対して電力を供給することが可能な外部電源手段と、前記複数のシャッター装置のいずれか１つを、前記外部電源手段から電力が供給される対象となる対象シャッター装置として選択的に指定する指定手段と、前記指定手段によって指定された前記対象シャッター装置に対して前記外部電源手段から電力を供給させる供給制御手段と、を備えた。
【０００７】
請求項２に記載の電力供給装置は、請求項１に記載の電力供給装置において、当該電力供給装置から電力を供給している前記対象シャッター装置である第１対象シャッター装置に代えて、前記第１対象シャッター装置とは異なる前記対象シャッター装置である第２対象シャッター装置に電力が供給する場合には、前記供給制御手段は、前記第１対象シャッター装置に対する前記外部電源手段からの電力供給を停止させると共に、前記第２対象シャッター装置に対して前記外部電源手段から電力を供給させる。
【０００８】
請求項３に記載の電力供給装置は、請求項１又は２に記載の電力供給装置において、前記外部電源手段が破損する可能性が高い破損可能性状態であるか否かを判定する判定手段を備え、前記供給制御手段は、前記判定手段によって前記破損可能性状態でないと判定された場合には、前記対象シャッター装置に対する前記外部電源手段からの電力供給を継続させ、前記判定手段によって前記破損可能性状態であると判定された場合には、前記対象シャッター装置に対する前記外部電源手段からの電力供給を停止させる。
【０００９】
請求項４に記載の電力供給装置は、請求項１から３のいずれか一項に記載の電力供給装置において、前記外部電源手段は、電力を蓄電するバッテリと、電力を発生させる発電機と、を含み、前記バッテリ又は前記発電機のいずれか一方を選択的に切り替えることにより、当該切り替えられた前記バッテリ又は前記発電機のいずれか一方からの前記対象シャッター装置に対する電力供給を可能とする切替手段を備え、前記供給制御手段は、前記対象シャッター装置に対して前記切替手段によって切り替えられた前記バッテリ又は前記発電機のいずれか一方から電力を供給させる。
【００１０】
請求項５に記載の制御システムは、建物の複数の開口部の各々に設けられた複数のシャッター装置であって、対応する前記開口部を開閉するシャッターカーテンを備える複数のシャッター装置を制御するための制御システムであって、請求項１から４のいずれか一項に記載の電力供給装置と、前記複数のシャッター装置のうち、前記電力供給装置によって電力が供給される対象シャッター装置のシャッターカーテンを開閉移動させる開閉移動制御手段と、を備えた。
【００１１】
請求項６に記載の制御システムは、請求項５に記載の制御システムにおいて、前記対象シャッター装置のシャッターカーテンの開閉移動に関する操作指示を受け付けるための操作手段を備え、前記開閉移動制御手段は、前記操作手段によって受け付けられた前記操作指示に基づいて前記対象シャッター装置のシャッターカーテンを開閉移動させる。
【発明の効果】
【００１２】
請求項１に記載の電力供給装置によれば、複数のシャッター装置のいずれか１つを対象シャッター装置として選択的に指定する指定手段と、指定手段によって指定された対象シャッター装置に対して外部電源手段から電力を供給させる供給制御手段と、を備えたので、従来技術（２つのシャッター装置に対して決められた順に電力を供給する技術）に比べて、複数のシャッター装置のうちユーザのニーズに対応するシャッター装置に対して電力を効果的に供給させることができ、複数のシャッター装置の使用におけるユーザの利便性を向上させることが可能になる。
【００１３】
請求項２に記載の電力供給装置によれば、電力供給装置から電力を供給している第１対象シャッター装置に代えて、第２対象シャッター装置に電力が供給する場合には、供給制御手段が、第１対象シャッター装置に対する外部電源手段からの電力供給を停止させると共に、第２対象シャッター装置に対して外部電源手段から電力を供給させるので、電力供給装置の無駄な電力消費を回避でき、第２対象シャッター装置に対して駆動に必要な電力を確実に供給することが可能となる。
【００１４】
請求項３に記載の電力供給装置によれば、供給制御手段が、破損可能性状態でないと判定された場合には、対象シャッター装置に対する外部電源手段からの電力供給を継続させ、破損可能性状態であると判定された場合には、対象シャッター装置に対する外部電源手段からの電力供給を停止させるので、外部電源手段の過剰な使用等によって外部電源手段が破損することを回避でき、電力供給装置において外部電源手段の破損に起因する故障の発生を抑制することが可能となる。
【００１５】
請求項４に記載の電力供給装置によれば、供給制御手段が、対象シャッター装置に対して切替手段によって切り替えられたバッテリ又は発電機のいずれか一方から電力を供給させるので、使用状況に応じてバッテリ又は発電機のいずれか一方からの電力供給を切り替えることができ、バッテリ又は発電機が破損することを一層回避することができる。
【００１６】
請求項５に記載の制御システムによれば、複数のシャッター装置のうち、電力供給装置によって電力が供給される対象シャッター装置のシャッターカーテンを開閉移動させる開閉移動制御手段を備えたので、電力供給装置から供給される電力を用いて複数のシャッター装置のシャッターカーテンを開閉移動させる場合に、電力供給装置によって指定された対象シャッター装置のシャッターカーテンを開閉移動させることができ、ユーザのニーズに対応するシャッター装置のシャッターカーテンを効果的に開閉移動させることが可能となる。
【００１７】
請求項６に記載の制御システムによれば、開閉移動制御手段が、操作手段によって受け付けられた操作指示に基づいて対象シャッター装置のシャッターカーテンを開閉移動させるので、あらかじめ記憶された操作指示に基づいて対象シャッター装置のシャッターカーテンを開閉移動させる場合に比べて、ユーザのニーズに応じて対象シャッター装置のシャッターカーテンを開閉移動させることができ、複数のシャッター装置の使用におけるユーザの利便性を一層向上させることが可能になる。
【図面の簡単な説明】
【００１８】
【図１】本発明の実施の形態１に係る開閉システムを概念的に示す図である。
【図２】制御装置の電気的構成を示したブロック図である。
【図３】電力供給装置の電気的構成を示したブロック図である。
【図４】実施の形態１に係る電力供給処理のフローチャートである。
【図５】第１電力供給処理のフローチャートである。
【図６】第２電力供給処理のフローチャートである。
【図７】実施の形態１に係る開閉処理のフローチャートである。
【図８】第１開閉処理のフローチャートである。
【図９】第２開閉処理のフローチャートである。
【図１０】実施の形態２に係る電力供給装置の電気的構成を示したブロック図である。
【図１１】実施の形態２に係る第１電力供給処理のフローチャートである。
【発明を実施するための形態】
【００１９】
以下に添付図面を参照して、この発明に係る電力供給装置、及び制御システムの実施の形態を詳細に説明する。まず、〔Ｉ〕実施の形態の基本的概念を説明した後、〔ＩＩ〕実施の形態の具体的内容について説明し、最後に、〔ＩＩＩ〕実施の形態に対する変形例について説明する。ただし、実施の形態によって本発明が限定されるものではない。
【００２０】
〔Ｉ〕実施の形態の基本的概念
まず、実施の形態の基本的概念について説明する。実施の形態は、概略的に、建物の複数の開口部の各々に設けられた複数のシャッター装置に対して電力を供給するための電力供給装置を備える制御システムに関するものである。
【００２１】
ここで、「建物」とは、その具体的な構造や種類は任意であるが、例えば、戸建て住宅、アパートやマンションの如き集合住宅、オフィスビル、商業施設、及び公共施設等を含む概念である。また、「建物の開口部」とは、建物の躯体の一部分（例えば、壁、床、天井等）において出入口や窓を設置するために形成された開口部である。また、シャッター装置は、防犯や防火のために、建物の開口部に取り付けられる装置であり、例えば、重量シャッター等を電動駆動可能な全ての形式のシャッター装置を含む概念である。また、シャッター装置の開閉方向については、例えば上下方向、左右方向等が該当する。また、シャッター装置を構成するシャッターカーテンの状態とは、例えば、シャッターカーテンによって開口部を全閉した「全閉状態」と、シャッターカーテンによって開口部を全開した「全開状態」と、開口部の一部を開いて当該開口部の他の一部を閉じている「半開状態」とを含む概念である。なお、実施の形態では、全閉状態におけるシャッターカーテンの位置を「全閉位置」と称し、全開状態におけるシャッターカーテンの位置を「全開位置」と称する。以下、実施の形態では、シャッター装置が、集合住宅の如き建物の駐車場の複数の入出口の各々に設けられた複数の上下開閉式の重量電動シャッターである場合について説明する。
【００２２】
〔ＩＩ〕実施の形態の具体的内容
次に、実施の形態の具体的内容について説明する。
【００２３】
〔実施の形態１〕
まず、実施の形態１に係る開閉制御システムについて説明する。この実施の形態１は、外部電源手段をバッテリとした形態である。
【００２４】
（構成）
最初に、実施の形態１に係る制御システムが適用される開閉システムの構成について説明する。以下の説明では、図１のＸ方向を開閉システムの左右方向又は幅方向（−Ｘ方向を開閉システムの左方向、＋Ｘ方向を開閉システムの右方向）、図１のＹ方向を開閉システムの上下方向（＋Ｙ方向を開閉システムの上方向、−Ｙ方向を開閉システムの下方向）、Ｘ方向及びＹ方向に直交する方向を前後方向（図１の紙面の手前側に至る方向を開閉システムの前方向（建物の屋外側の方向）、図１の紙面の奥側に至る方向を開閉システムの後方向（建物の屋内側の方向））と称する。
【００２５】
開閉システム１は、建物の壁に設けられた第１開口部２ａ及び第２開口部２ｂの開閉を行うためのシステムであり、概略的に、第１シャッター装置１０ａ、第２シャッター装置１０ｂ、及び電力供給装置１００を備えている。なお、後述する第１シャッター装置１０ａの「開閉移動制御部８４ａ」、後述する第２シャッター装置１０ｂの「開閉移動制御部８４ａ」、及び「電力供給装置１００」は、特許請求の範囲の「制御システム」を構成する構成要素に対応する。また、これら第１シャッター装置１０ａ及び第２シャッター装置１０ｂを特に区別する必要のないときは、単に「シャッター装置１０」と総称する。
【００２６】
また、この開閉システム１を構成する各装置の接続形態については、以下に示す通りとなる。すなわち、後述する第１シャッター装置１０ａの制御装置８０は、電力供給装置１００と配線４を介して電気的に接続されていると共に、後述する第２シャッター装置１０ｂの制御装置８０は、電力供給装置１００と配線４を介して電気的に接続されている。このような接続により、後述する第１シャッター装置１０ａの制御装置８０及び後述する第２シャッター装置１０ｂの制御装置８０の各々と、電力供給装置１００との相互間で通信及び電力供給を行うことができる。
【００２７】
（構成−第１シャッター装置、第２シャッター装置）
次に、第１シャッター装置１０ａ及び第２シャッター装置１０ｂの構成について説明する。第１シャッター装置１０ａは、第１開口部２ａを開閉するための装置であり、第２シャッター装置１０ｂは、第２開口部２ｂを開閉するための装置である。ただし、これら第１シャッター装置１０ａ及び第２シャッター装置１０ｂの各々の構成はそれぞれ略同一であるので、以下では、第１シャッター装置１０ａの構成のみについて説明することとする。
【００２８】
この第１シャッター装置１０ａは、図１に示すように、シャッター収納部１１、ガイドレール２０、シャッターカーテン３０、開閉機４０、巻取軸（図示省略）、シャッター側操作装置５０、上限検知部６０、下限検知部７０、及び制御装置８０を備えている。ただし、第１シャッター装置１０ａに関する特記しない構成については、従来と同様であるものとして説明を省略する。
【００２９】
（構成−第１シャッター装置、第２シャッター装置−シャッター収納部）
シャッター収納部１１は、第１シャッター装置１０ａの各部を収納するための中空体である。図１に示すように、このシャッター収納部１１は、建物の壁における第１開口部２ａの上端部よりも上方に設置されている。また、このシャッター収納部１１の内部には、開閉機４０、巻取軸、上限検知部６０、下限検知部７０、及び制御装置８０が収容されていると共に、巻取軸にてシャッターカーテン３０が巻上げられた状態では、シャッターカーテン３０の少なくとも一部が、シャッター収納部１１の内部に収容される。また、このシャッター収納部１１の具体的な構成については任意であるが、例えば、折り曲げ成形された複数のスチール製の板状体を、ビスや取付ネジ等の取付具によって相互に接続して形成している。
【００３０】
（構成−第１シャッター装置、第２シャッター装置−ガイドレール）
ガイドレール２０は、シャッターカーテン３０を第１開口部２ａの開閉方向（上下方向）に沿って移動するように案内するものである。このガイドレール２０は、横断面形状が略コ字状となるように形成された長尺体であり、第１シャッター装置１０ａの左右の各端部において、上下方向に略沿う方向で配置されており、建物の壁に対して直接的に固定されており、又は下地材（図示省略）を介して間接的に固定されている。
【００３１】
（構成−第１シャッター装置、第２シャッター装置−シャッターカーテン）
シャッターカーテン３０は、巻取軸によって閉鎖移動又は開放移動されることで、シャッターカーテン３０の状態を全開状態、全閉状態、又は半開状態とする遮蔽手段である。このシャッターカーテン３０は、図１に示すように、複数のスラット３１を備えており、各スラット３１の上下の両端部に形成された嵌合部（図示省略）を介して複数のスラット３１が相互に嵌合接続されている。また、このシャッターカーテン３０の左右方向の両端部の各々は、ガイドレール２０のコ字状の開放端部を介してガイドレール２０の内部に挿入されており、上下方向においてはガイドレール２０の内部をスライド移動可能であり、かつ、前後方向においてはガイドレール２０の外部に脱落しないように規制されている。また、このシャッターカーテン３０の下端部には、座板３２が接続されている。この座板３２は、シャッターカーテン３０の状態が全閉状態である場合において建物の床面と近接し、又は接触するように配置されたものであり、シャッターカーテン３０の下端部の左右方向全長にわたって形成されている。
【００３２】
（構成−第１シャッター装置、第２シャッター装置−開閉機）
開閉機４０は、巻取軸を回転駆動することによって電動でシャッターカーテン３０を閉鎖移動又は開放移動させる開閉移動手段であり、例えばシャッター用の開閉機等を用いて構成されている。
【００３３】
（構成−第１シャッター装置、第２シャッター装置−巻取軸）
巻取軸は、シャッターカーテン３０を閉鎖移動又は開放移動させるための回動軸である。この巻取軸は、例えば公知の巻取軸等を用いて構成されており、左右方向に沿って設置されている。また、この巻取軸にはシャッターカーテン３０の上端に連結された連結部（図示省略）が接続されており、この巻取軸を回転させることで、連結部を介してシャッターカーテン３０を閉鎖移動又は開放移動させることができる。また、この巻取軸の左端部（又は右端部）がチェーン（図示省略）を介して開閉機４０の出力軸に連結されているので、開閉機４０の出力軸の回転に伴って巻取軸を回転させることができる。
【００３４】
（構成−第１シャッター装置、第２シャッター装置−シャッター側操作装置）
シャッター側操作装置５０は、シャッターカーテン３０の閉鎖移動又は開放移動に関する操作入力を受け付ける装置である。このシャッター側操作装置５０は、図１に示すように、第１開口部２ａの近傍に設けられており、例えば公知の有線式操作装置等を用いて構成され、具体的には、シャッターカーテン３０の開放移動を行う旨を指示する開放ボタン、シャッターカーテン３０の閉鎖移動を行う旨を指示する閉鎖ボタン、及びシャッターカーテン３０の閉鎖移動又は開放移動を停止させる旨を指示する停止ボタンを備えている（いずれも図示省略）。そして、これら開放ボタン、閉鎖ボタン、又は停止ボタンがユーザによって押圧された場合に、当該押圧されたボタンに応じた第１操作信号（すなわち、開放信号、閉鎖信号、停止信号）を制御装置８０を介して開閉機４０に出力することで、開閉機４０によってシャッターカーテン３０が電動で閉鎖移動又は開放移動させたり、あるいはシャッターカーテン３０の閉鎖移動又は開放移動を電動で停止させることができる。なお、実施の形態１では、シャッター側操作装置５０は、制御装置８０と有線で通信するものとして説明するが、これに限られず、例えば、制御装置８０と無線で通信するものであってもよい。あるいは、これら有線式及び無線式のシャッター側操作装置５０の両方を第１シャッター装置１０ａに設けてもよい。
【００３５】
（構成−第１シャッター装置、第２シャッター装置−上限検知部、下限検知部）
上限検知部６０は、シャッターカーテン３０の下端部が部屋の天井３の面と面一となる位置（以下、「上限位置」と称する。）に達しているか否かを検出する上限検知手段である。また、下限検知部７０は、シャッターカーテン３０の下端部が、部屋の床面近傍に設定された位置（例えば、床面から所定距離（数ｃｍ）だけ上方側に設定された位置等。以下、「下限位置」と称する。）に達しているか否かを検出する下限検知手段である。これら上限検知部６０及び下限検知部７０は、例えばカウンター式のリミットスイッチ等の公知の検知センサを用いて構成されており、開閉機４０の近傍位置にそれぞれ設置されている。
【００３６】
また、この上限検知部６０が開閉機４０の出力軸の回転数を検出するカウンター式のリミットスイッチである場合の具体的な検知動作については任意であるが、例えば、上限検知部６０においては、開閉機４０の出力軸の回転数が、シャッターカーテン３０の下端部が第１開口部２ａの下端部から上限位置に到達するまでに必要な必要回転数に達していない場合には、上限検知信号を出力しないが、開閉機４０の出力軸の回転数が上記必要回転数に達している場合には、上限検知信号を出力する。また、この下限検知部７０が開閉機４０の出力軸の回転数を検出するカウンター式のリミットスイッチである場合の具体的な検知動作については任意であるが、例えば、下限検知部７０においては、開閉機４０の出力軸の回転数が、シャッターカーテン３０の下端部が第１開口部２ａの上端部から下限位置に到達するまでに必要な必要回転数に達していない場合には、下限検知信号を出力しないが、開閉機４０の出力軸の回転数が上記必要回転数に達している場合には、下限検知信号を出力する。
【００３７】
（構成−第１シャッター装置、第２シャッター装置−制御装置）
制御装置８０は、第１シャッター装置１０ａの各部を相互に連動させる装置である。この制御装置８０は、開閉機４０、シャッター側操作装置５０、上限検知部６０、下限検知部７０、及び電力供給装置１００と配線４を介して電気的に接続されており、図２に示すように、入力部８１、出力部８２、電源部８３、制御部８４、及び記憶部８５を備えている。
【００３８】
（構成−第１シャッター装置、第２シャッター装置−制御装置−入力部）
入力部８１は、第１操作信号、第２操作信号、上限検知信号、下限検知信号、後述する第１起動信号、後述する第２起動信号、後述する指定完了信号、後述する解除信号、後述する終了信号等の入力を受け付ける入力手段であり、例えば公知の入力端子等を用いて構成されている。
【００３９】
（構成−第１シャッター装置、第２シャッター装置−制御装置−出力部）
出力部８２は、信号を開閉機４０に出力する出力手段であり、例えば公知の出力端子等を用いて構成されている。
【００４０】
（構成−第１シャッター装置、第２シャッター装置−制御装置−電源部）
電源部８３は、図示しない商用電源又は電力供給装置１００から供給される電力を、制御装置８０の各部、開閉機４０、シャッター側操作装置５０、上限検知部６０、又は下限検知部７０に供給する電源手段である。
【００４１】
ここで、電源部８３の電力供給方法については任意であるが、実施の形態１では、以下の通りとなる。すなわち、商用電源からの電力供給が可能である場合には、商用電源から供給される電力を、制御装置８０の各部、開閉機４０、シャッター側操作装置５０、上限検知部６０、及び下限検知部７０に対して供給する。また、停電等によって商用電源からの電力供給が可能でない場合に、後述する電力供給処理のうち後述する第１電力供給処理のＳＢ４の処理又は後述する第２電力供給処理のＳＣ１（第２シャッター装置１０ｂの場合には、後述するＳＣ５の処理）において電力供給が行われている場合には、電力供給装置１００から供給される電力を制御装置８０の各部、開閉機４０、シャッター側操作装置５０、上限検知部６０、及び下限検知部７０に対して供給する。この場合には、第１シャッター装置１０ａのシャッターカーテン３０を開閉移動させることが可能な容量の電力が電力供給装置１００から供給される。一方、後述する電力供給処理のうち後述する第１電力供給処理のＳＢ４の処理又は後述する第２電力供給処理のＳＣ１の処理（第２シャッター装置１０ｂの場合には、後述するＳＣ５の処理）において電力供給が行われていない場合には、電力供給装置１００から供給される電力を制御装置８０の各部のみに対して供給する。この場合には、電力供給装置１００のバッテリ１０５の電力消費を低減するために、シャッター装置１０の制御装置８０を駆動させることが可能な容量の電力が第１シャッター装置１０ａ及び第２シャッター装置１０ｂに対して供給される。
【００４２】
（構成−第１シャッター装置、第２シャッター装置−制御装置−制御部）
制御部８４は、制御装置８０の各部を制御する制御手段である。この制御部８４は、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）及びプログラムや各種のデータを格納するためのＲＡＭの如き内部メモリを備えて構成されるコンピュータである（なお、後述する電力供給装置１００の制御部１０７についても同様とする）。
【００４３】
また、この制御部８４は、図２に示すように、機能概念的に、開閉移動制御部８４ａを備えている。開閉移動制御部８４ａは、第１シャッター装置１０ａ及び第２シャッター装置１０ｂのうち、電力供給装置１００によって電力が供給される対象となるシャッター装置１０（以下、「対象シャッター装置」と称する）が第１シャッター装置１０ａである場合に、第１シャッター装置１０ａのシャッターカーテン３０を開閉移動させる開閉移動制御手段である。また、この制御部８４によって実行される処理の詳細については後述する。
【００４４】
（構成−第１シャッター装置、第２シャッター装置−制御装置−記憶部）
記憶部８５は、制御装置８０の動作に必要なプログラム及び各種のデータを記憶する記憶手段であり、書き換え可能な公知の記録媒体を用いて構成され、例えばフラッシュメモリ等の不揮発性記録媒体を用いることができる（なお、後述する電力供給装置１００の記憶部１０８についても同様とする）。
【００４５】
（構成−電力供給装置）
図１に戻り、次に、電力供給装置１００の構成について説明する。電力供給装置１００は、第１シャッター装置１０ａ及び第２シャッター装置１０ｂに対して電力を供給するための装置である。この電力供給装置１００は、図１に示すように、建物の屋内において建物の壁に設けられており、図３に示すように、操作部１０１、入力部１０２、出力部１０３、水圧検知部（図示省略）、検知部１０４、バッテリ１０５、電力変換部１０６、制御部１０７、及び記憶部１０８を備えている。
【００４６】
（構成−電力供給装置−操作部）
操作部１０１は、対象シャッター装置（第１シャッター装置１０ａ又は第２シャッター装置１０ｂ）のシャッターカーテン３０の開閉移動に関する操作指示を受け付けるための操作手段である。この操作部１０１は、例えばタッチパネル等の公知の操作手段を用いて構成されており、シャッター側操作装置５０と同様に、開放ボタン、閉鎖ボタン、及び停止ボタンを備えていることに加えて、対象シャッター装置を指定した旨を指示する指定ボタンを備えている（いずれも図示省略）。そして、これら開放ボタン、閉鎖ボタン、停止ボタン、又は指定ボタンがユーザによって押圧された場合に、当該押圧された信号（実施の形態１では、開放ボタン、閉鎖ボタン、及び停止ボタンに応じた第２操作信号（すなわち、開放信号、閉鎖信号、停止信号）や指定ボタンに応じた指定信号）を制御装置８０に出力することで、開閉機４０によってシャッターカーテン３０が電動で閉鎖移動又は開放移動させたり、シャッターカーテン３０の閉鎖移動又は開放移動を電動で停止させたり、又は対象シャッター装置を指定することができる。
【００４７】
（構成−電力供給装置−入力部）
入力部１０２は、第２操作信号、指定信号、上限検知信号、下限検知信号、後述する水圧検知信号、又は後述する検知信号等の入力を受け付ける入力手段であり、例えば公知の入力端子等を用いて構成されている。
【００４８】
（構成−電力供給装置−出力部）
出力部１０３は、信号を第１シャッター装置１０ａの制御装置８０又は第２シャッター装置１０ｂの制御装置８０に出力する出力手段であり、例えば公知の出力端子等を用いて構成されている。
【００４９】
（構成−電力供給装置−水圧検知部）
水圧検知部は、建物の壁において第１シャッター装置１０ａ又は第２シャッター装置１０ｂのいずれか一方の近傍に設けられた送水口金具（図示省略）に対して消防ホース等を用いて建物の屋外側から送水した際の水圧（又は水量）を検知し、この検知結果を示す水圧検知信号を出力する水圧検知手段であり、例えば、公知の水圧センサ等を用いて構成されており、上記送水口金具の近傍に設けられている。
【００５０】
（構成−電力供給装置−検知部）
検知部１０４は、バッテリ１０５の状態を検知し、この検知結果を示す検知信号を出力する検知手段である。ここで、「バッテリ１０５の状態」とは、ある時点におけるバッテリ１０５の有り様を意味し、例えば、バッテリ１０５の温度状態、バッテリ１０５の電力消費状態等を含む概念であるが、実施の形態１では、バッテリ１０５の温度状態として説明する。この検知部１０４は、例えば公知の温度センサを用いて構成されており、バッテリ１０５の近傍に設けられている。
【００５１】
（構成−電力供給装置−バッテリ）
バッテリ１０５は、第１シャッター装置１０ａ及び第２シャッター装置１０ｂに対して電力を供給することが可能な外部電源手段であると共に、電力を蓄電する蓄電手段であり、例えば、公知のシャッター用のバッテリ等を用いて構成されている。また、このバッテリ１０５の容量の設定方法については任意であるが、実施の形態１では、第１シャッター装置１０ａ又は第２シャッター装置１０ｂのいずれ一方のシャッターカーテン３０を開閉移動させることが可能な容量に設定している（なお、後述する発電機１０９の容量の設定方法についても同様とする）。これにより、バッテリ１０５の容量を第１シャッター装置１０ａ及び第２シャッター装置１０ｂの各々のシャッターカーテン３０を同時に開閉移動させることが可能な容量に設定した場合に比べて小さくすることができるので、バッテリ１０５の設置コストを低減することが可能となる。
【００５２】
（構成−電力供給装置−電力変換部）
電力変換部１０６は、バッテリ１０５に蓄電された電力を所定の電力に変換する電力変換手段であり、例えば公知の電力変換装置（一例として、三相電力生成装置等）を用いて構成されている。
【００５３】
（構成−電力供給装置−制御部）
制御部１０７は、電力供給装置１００の各部を制御する制御手段であり、図３に示すように、機能概念的に、指定部１０７ａ、供給制御部１０７ｂ、及び判定部１０７ｃを備えている。
【００５４】
指定部１０７ａは、操作部１０１から出力される指定信号に基づいて、対象シャッター装置を指定するものである。なお、上述した「操作部１０１の指定ボタン」及び「指定部１０７ａ」は、特許請求の範囲における「指定手段」に対応する。
【００５５】
供給制御部１０７ｂは、指定部１０７ａによって指定された対象シャッター装置に対してバッテリ１０５から電力を供給させる供給制御手段である。
【００５６】
判定部１０７ｃは、検知部１０４から出力される検知信号に基づいて、破損可能性状態であるか否かを判定するものである。ここで、「破損可能性状態」とは、バッテリ１０５（又は後述する発電機１０９）が破損する可能性が高い状態を意味する。なお、上述した「検知部１０４」及び「判定部１０７ｃ」は、特許請求の範囲における「判定手段」に対応する。また、この制御部１０７によって実行される処理の詳細については後述する。
【００５７】
（構成−電力供給装置−記憶部）
記憶部１０８は、電力供給装置１００の動作に必要なプログラム及び各種のデータを記憶する記憶手段である。
【００５８】
（処理）
次に、このように構成された開閉システム１によって実行される処理について説明する。この開閉システム１によって実行される処理は、電力供給処理と開閉処理とに大別される。以下、電力供給処理と開閉処理とのそれぞれについて説明する。
【００５９】
（処理−電力供給処理）
まず、電力供給処理について説明する。電力供給処理は、シャッター装置１０に対して電力を供給するための処理である。この開閉処理を実行するタイミングは任意であるが、実施の形態１では、電力供給装置１００の電源が投入された後に起動されるものとして説明する。また、この電力供給処理の前提としては、具体的には、第１シャッター装置１０ａ及び第２シャッター装置１０ｂの各々のシャッターカーテン３０の状態が全閉状態であるとして説明する（なお、開閉処理の前提についても同様とする）。
【００６０】
電力供給処理が起動されると、図４に示すように、まず、ＳＡ１において電力供給装置１００の制御部１０７は、第１電力供給タイミングが到来したか否かを判定する。ここで、「第１電力供給タイミング」とは、後述する第１電力供給処理を実行するタイミングを意味する。この第１電力供給タイミングが到来したか否かの判定方法については任意であるが、例えば、操作部１０１を介して所定操作が受け付けられたか否かに基づいて判定し、所定操作が受け付けられた場合には第１電力供給タイミングが到来したと判定し、所定操作が受け付けられていない場合には第１電力供給タイミングが到来していないと判定する。そして、電力供給装置１００の制御部１０７は、第１電力供給タイミングが到来したと判定された場合（ＳＡ１、Ｙｅｓ）にはＳＡ２へ移行し、第１電力供給タイミングが到来していないと判定された場合（ＳＡ１、Ｎｏ）にはＳＡ４へ移行する。
【００６１】
ＳＡ２において電力供給装置１００の制御部１０７は、出力部１０３によって第１起動信号を、第１シャッター装置１０ａ及び第２シャッター装置１０ｂに向けて出力させて、第１電力供給処理（ＳＡ３）を起動させ、その後ＳＡ１へ移行する。ここで、「第１起動信号」とは、後述する第１開閉処理の起動を指示する信号を意味する。なお、この第１電力供給処理の処理内容の詳細については、後述する。
【００６２】
ＳＡ４において電力供給装置１００の制御部１０７は、第２電力供給タイミングが到来したか否かを判定する。ここで、「第２電力供給タイミング」とは、後述する第２電力供給処理を実行するタイミングを意味する。この第２電力供給タイミングが到来したか否かの判定方法については任意であるが、例えば、ＳＡ４の処理時において水圧検知部から水圧検知信号の入力を入力部１０２によって受け付けて、当該受け付けた水圧検知信号が示す水圧量が閾値を上回っているか否かに基づいて判定し、閾値を上回っている場合には第２電力供給タイミングが到来したと判定し、閾値を上回っていない場合には第２電力供給タイミングが到来していないと判定する。そして、電力供給装置１００の制御部１０７は、第２電力供給タイミングが到来していないと判定された場合（ＳＡ４、Ｎｏ）にはＳＡ１へ移行し、第２電力供給タイミングが到来したと判定された場合（ＳＡ４、Ｙｅｓ）にはＳＡ５へ移行する。
【００６３】
ＳＡ５において電力供給装置１００の制御部１０７は、出力部１０３によって第２起動信号を、第１シャッター装置１０ａ及び第２シャッター装置１０ｂに向けて出力させて、第２電力供給処理（ＳＡ６）を起動させ後、ＳＡ１へ移行し、以下同様に、ＳＡ１からＳＡ６の処理を繰り返す。ここで、「第２起動信号」とは、後述する第２開閉処理の起動を指示する信号を意味する。なお、この第２電力供給処理の処理内容の詳細については、後述する。
【００６４】
（処理−電力供給処理−第１電力供給処理）
次に、図４のＳＡ３の第１電力供給処理について説明する。第１電力供給処理は、対象シャッター装置に対して電力を供給するための処理である。
【００６５】
第１電力供給処理が起動されると、図５に示すように、ＳＢ１において電力供給装置１００の指定部１０７ａは、第１シャッター装置１０ａ又は第２シャッター装置１０ｂのいずれか１つが、対象シャッター装置として選択的に指定されたか否かを判定する。ここで、対象シャッター装置が指定されたか否かを判定する方法については任意であるが、例えば、ＳＢ１の処理時において操作部１０１から出力される指定信号の入力が入力部１０２によって受け付けられたか否かに基づいて判定し、指定信号の入力が受け付けられた場合には対象シャッター装置が指定されたと判定し、指定信号の入力が受け付けられていない場合には対象シャッター装置が指定されていないと判定する（なお、後述するＳＢ９の処理についても同様とする）。そして、電力供給装置１００の指定部１０７ａは、対象シャッター装置が指定されたと判定されるまで待機し（ＳＢ１、Ｎｏ）、対象シャッター装置が指定されたと判定された場合（ＳＢ１、Ｙｅｓ）には、ＳＢ１の処理時において操作部１０１から入力が受け付けられた指定信号が示すシャッター装置１０を対象シャッター装置として指定し、その後ＳＢ２へ移行する。
【００６６】
ＳＢ２において電力供給装置１００の制御部１０７は、出力部１０３によって指定完了信号をＳＢ１にて指定された対象シャッター装置に向けて出力させる。ここで、「指定完了信号」とは、ＳＢ１において対象シャッター装置が指定された旨を示す信号を意味する。
【００６７】
ＳＢ３において電力供給装置１００の判定部１０７ｃは、検知部１０４の検知結果に基づいて、破損可能性状態であるか否かを判定する。この破損可能性状態であるか否かの判定方法については任意であるが、例えば、ＳＢ３の処理時において検知部１０４から検知信号の入力を入力部１０２によって受け付けて、当該受け付けた検知信号が示すバッテリ１０５の温度が閾値を上回っているか否かに基づいて判定し、閾値を上回っている場合には破損可能性状態であると判定し、閾値を上回っていない場合には破損可能性状態でないと判定する。そして、電力供給装置１００の制御部１０７は、破損可能性状態でないと判定された場合（ＳＢ３、Ｎｏ）にはＳＢ４へ移行し、破損可能性状態であると判定された場合（ＳＢ３、Ｙｅｓ）にはＳＢ７へ移行する。
【００６８】
ＳＢ４において電力供給装置１００の供給制御部１０７ｂは、ＳＢ４の処理直前に指定されている対象シャッター装置（具体的には、ＳＢ１又は後述するＳＢ９にて指定された対象シャッター装置）に対してバッテリ１０５から電力を供給させる。
【００６９】
ＳＢ５において電力供給装置１００の制御部１０７は、操作部１０１から出力される第２操作信号の入力が入力部１０２によって受け付けられたか否かを判定する。そして、電力供給装置１００の制御部１０７は、第２操作信号の入力が受け付けられたと判定された場合（ＳＢ５、Ｙｅｓ）にはＳＢ６へ移行し、第２操作信号の入力が受け付けられていないと判定された場合（ＳＢ５、Ｎｏ）にはＳＢ９へ移行する。
【００７０】
ＳＢ６において電力供給装置１００の制御部１０７は、出力部１０３によって第２操作信号を、ＳＢ６の処理直前に指定されている対象シャッター装置（具体的には、ＳＢ１又は後述するＳＢ９にて指定された対象シャッター装置）に向けて出力させる。
【００７１】
ＳＢ７において電力供給装置１００の制御部１０７は、ＳＢ７の処理直前に指定されている対象シャッター装置（具体的には、ＳＢ１又は後述するＳＢ９にて指定された対象シャッター装置）に対するバッテリ１０５からの電力供給を停止させる（なお、ＳＢ７の処理直前に既に対象シャッター装置に対する電力供給が停止している場合には、当該停止している状態を維持する）。このような処理により、バッテリ１０５の過剰な使用等によってバッテリ１０５が破損することを回避でき、電力供給装置１００においてバッテリ１０５の破損に起因する故障の発生を抑制することが可能となる。
【００７２】
ＳＢ８において電力供給装置１００の制御部１０７は、出力部１０３によって停止信号（操作部１０１から出力される停止信号と同一の信号）を、ＳＢ８の処理直前に指定されている対象シャッター装置（具体的には、ＳＢ１又は後述するＳＢ９にて指定された対象シャッター装置）に向けて出力させる。
【００７３】
ＳＢ９において電力供給装置１００の指定部１０７ａは、第１シャッター装置１０ａ又は第２シャッター装置１０ｂのいずれか１つ（具体的には、ＳＢ９の処理直前に指定されている対象シャッター装置（具体的には、ＳＢ１又は後述するＳＢ９にて指定された対象シャッター装置）とは異なるシャッター装置１０）が、対象シャッター装置として選択的に指定されたか否かを判定する。そして、電力供給装置１００の指定部１０７ａは、対象シャッター装置が指定されたと判定された場合（ＳＢ９、Ｙｅｓ）には、ＳＢ９の処理直前に指定されていた対象シャッター装置の指定を解除すると共に、ＳＢ９の処理時において操作部１０１から入力が受け付けられた指定信号が示すシャッター装置１０を対象シャッター装置として指定し、その後ＳＢ１０へ移行する。一方、対象シャッター装置が指定されていないと判定された場合（ＳＢ９、Ｎｏ）にはＳＢ１２へ移行する。
【００７４】
ＳＢ１０において電力供給装置１００の制御部１０７は、出力部１０３によって指定完了信号を、ＳＢ１０の処理直前に指定されている対象シャッター装置（具体的には、ＳＢ１又は後述するＳＢ９にて指定された対象シャッター装置）に向けて出力させると共に、ＳＢ９において対象シャッター装置の指定が解除されたシャッター装置１０に向けて出力させる。ここで、「解除信号」とは、対象シャッター装置の指定が解除された旨を示す信号を意味する。
【００７５】
ＳＢ１１において電力供給装置１００の供給制御部１０７ｂは、ＳＢ９において対象シャッター装置の指定が解除されたシャッター装置１０に対するバッテリ１０５からの電力供給を停止させる。
【００７６】
ＳＢ１２において電力供給装置１００の制御部１０７は、終了タイミングが到来したか否かを判定する。ここで、「終了タイミング」とは、対象シャッター装置に対するバッテリ１０５（又は後述する発電機１０９）からの電力供給を終了するタイミングを意味する。また、この終了タイミングが到来したか否かの判定方法については任意であるが、例えば、操作部１０１を介して所定操作が受け付けられたか否かに基づいて判定し、所定操作が受け付けられた場合には終了タイミングが到来したと判定し、所定操作が受け付けられていない場合には終了タイミングが到来していないと判定する。そして、電力供給装置１００の制御部１０７は、終了タイミングが到来したと判定された場合（ＳＢ１２、Ｙｅｓ）にはＳＢ１３へ移行する。一方、終了タイミングが到来していないと判定された場合（ＳＢ１２、Ｎｏ）にはＳＢ３へ移行し、ＳＢ１２において終了タイミングが到来したと判定されるまで、ＳＢ３からＳＢ１２の処理を繰り返す。このようなＳＢ３からＳＢ１２の処理の繰り返しにより、例えば、電力供給装置１００から電力を供給しているＳＢ１にて指定された対象シャッター装置（第１対象シャッター装置）に代えて、ＳＢ９にて指定された対象シャッター装置（第２対象シャッター装置）に電力が供給する場合には、ＳＢ１１においてＳＢ１にて指定された対象シャッター装置に対するバッテリ１０５からの電力供給を停止させると共に、ＳＢ４においてＳＢ９にて指定された対象シャッター装置に対してバッテリ１０５から電力を供給させることができる。よって、電力供給装置１００の無駄な電力消費を回避でき、ＳＢ９にて指定された対象シャッター装置に対して駆動に必要な電力を確実に供給することが可能となる。
【００７７】
ＳＢ１３において電力供給装置１００の制御部１０７は、出力部１０３によって終了信号を第１シャッター装置１０ａ及び第２シャッター装置１０ｂに向けて出力させ、その後第１電力供給処理を終了し、図４の電力供給処理に戻る。ここで、「終了信号」とは、後述する第１開閉処理の終了を指示する信号である。
【００７８】
このような第１電力供給処理により、従来技術（２つのシャッター装置１０に対して決められた順に電力を供給する技術）に比べて、第１シャッター装置１０ａ及び第２シャッター装置１０ｂのうちユーザのニーズに対応するシャッター装置１０に対して電力を効果的に供給させることができ、第１シャッター装置１０ａ及び第２シャッター装置１０ｂの使用におけるユーザの利便性を向上させることが可能になる。
【００７９】
（処理−電力供給処理−第２電力供給処理）
次に、図４のＳＡ６の第２電力供給処理について説明する。第２電力供給処理は、第１シャッター装置１０ａ及び第２シャッター装置１０ｂに対して決められた順に電力を供給するための処理である。
【００８０】
第２電力供給処理が起動されると、図６に示すように、ＳＣ１において電力供給装置１００の供給制御部１０７ｂは、第１シャッター装置１０ａに対してバッテリ１０５から電力を供給させる。
【００８１】
ＳＣ２において電力供給装置１００の制御部１０７は、出力部１０３によって開放信号（操作部１０１から出力される開放信号と同一の信号）を第１シャッター装置１０ａに向けて出力させる。
【００８２】
ＳＣ３において電力供給装置１００の制御部１０７は、第１停止タイミングが到来したか否かを判定する。ここで、「第１停止タイミング」とは、第１シャッター装置１０ａに対する電力供給を停止するタイミングを意味する。また、この第１停止タイミングが到来したか否かの判定方法については任意であるが、例えば、ＳＣ３の処理時において第１シャッター装置１０ａから出力される上限検知信号の入力が入力部１０２によって受け付けられたか否か（すなわち、シャッターカーテン３０の状態が全開状態であるか否か）、又はＳＣ２の処理後から所定時間経過したか否かに基づいて判定し、上限検知信号の入力が受け付けられた場合又は所定時間経過した場合には第１停止タイミングが到来したと判定し、上限検知信号の入力が受け付けられていない場合又は所定時間経過していない場合には第１停止タイミングが到来していないと判定する。なお、この所定時間の設定方法については任意であるが、例えば、シャッターカーテン３０の状態が、全閉状態から災害に対する措置を適切に講じることが可能な状態（一例として、シャッターカーテン３０の下端部が床面から３ｍ上方に位置する状態等）にするために必要な時間に設定されることが望ましい（なお、ＳＣ７の所定時間の設定方法についても同様とする）。そして、電力供給装置１００の制御部１０７は、第１停止タイミングが到来したと判定されるまで待機し（ＳＣ３、Ｎｏ）、第１停止タイミングが到来したと判定された場合には（ＳＣ３、Ｙｅｓ）にはＳＣ４へ移行する。
【００８３】
ＳＣ４において電力供給装置１００の供給制御部１０７ｂは、第１シャッター装置１０ａに対するバッテリ１０５からの電力供給を停止させる。
【００８４】
ＳＣ５において電力供給装置１００の供給制御部１０７ｂは、第２シャッター装置１０ｂに対してバッテリ１０５から電力を供給させる。
【００８５】
ＳＣ６において電力供給装置１００の制御部１０７は、出力部１０３によって開放信号（操作部１０１から出力される開放信号と同一の信号）を第２シャッター装置１０ｂに向けて出力させる。
【００８６】
ＳＣ７において電力供給装置１００の制御部１０７は、第２停止タイミングが到来したか否かを判定する。ここで、「第２停止タイミング」とは、第２シャッター装置１０ｂに対する電力供給を停止するタイミングを意味する。また、この第２停止タイミングが到来したか否かの判定方法については任意であるが、例えば、ＳＣ７の処理時において第２シャッター装置１０ｂから出力される上限検知信号の入力が入力部１０２によって受け付けられたか否か（すなわち、シャッターカーテン３０の状態が全開状態であるか否か）、又はＳＣ６の処理後から所定時間経過したか否かに基づいて判定し、上限検知信号の入力が受け付けられた場合又は所定時間経過した場合には第２停止タイミングが到来したと判定し、上限検知信号の入力が受け付けられていない場合又は所定時間経過していない場合には第２停止タイミングが到来していないと判定する。そして、電力供給装置１００の制御部１０７は、第２停止タイミングが到来したと判定されるまで待機し（ＳＣ７、Ｎｏ）、第２停止タイミングが到来したと判定された場合には（ＳＣ７、Ｙｅｓ）にはＳＣ８へ移行する。
【００８７】
ＳＣ８において電力供給装置１００の供給制御部１０７ｂは、第２シャッター装置１０ｂに対するバッテリ１０５からの電力供給を停止させ、その後第２電力供給処理を終了し、図４の電力供給処理に戻る。
【００８８】
このような第２電力供給処理により、第１シャッター装置１０ａ及び第２シャッター装置１０ｂに対して決められた順に電力を供給することができ、ユーザが操作部１０１を操作することなく、第１シャッター装置１０ａ及び第２シャッター装置１０ｂに対して電力を供給することができる。
【００８９】
（処理−開閉処理）
次に、開閉処理について説明する。開閉処理は、シャッター装置１０のシャッターカーテン３０を開閉移動させるための処理である。この開閉処理を実行するタイミングは任意であるが、実施の形態１では、第１シャッター装置１０ａ及び第２シャッター装置１０ｂの電源が投入された後に起動され、電力供給処理と並行して実行されるものとして説明する。なお、第１シャッター装置１０ａ及び第２シャッター装置１０ｂの各々の開閉処理はそれぞれ略同一であるので、以下では、第１シャッター装置１０ａの開閉処理のみについて説明することとする。
【００９０】
開閉処理が起動されると、図７に示すように、ＳＤ１において第１シャッター装置１０ａの開閉移動制御部８４ａは、図４のＳＡ２において電力供給装置１００から出力される第１起動信号の入力が入力部８１によって受け付けられたか否かを判定する。そして、第１シャッター装置１０ａの開閉移動制御部８４ａは、第１起動信号の入力が受け付けられていないと判定された場合（ＳＤ１、Ｎｏ）にはＳＤ２へ移行し、第１起動信号の入力が受け付けられたと判定された場合（ＳＤ１、Ｙｅｓ）には第１開閉処理（ＳＤ５）を起動させ、その後ＳＤ１へ移行する。なお、この第１開閉処理の処理内容の詳細については、後述する。
【００９１】
ＳＤ２において第１シャッター装置１０ａの開閉移動制御部８４ａは、図４のＳＡ５において電力供給装置１００から出力される第２起動信号の入力が入力部８１によって受け付けられたか否かを判定する。そして、第１シャッター装置１０ａの開閉移動制御部８４ａは、第２起動信号の入力が受け付けられていないと判定された場合（ＳＤ２、Ｎｏ）にはＳＤ３へ移行し、第２起動信号の入力が受け付けられたと判定された場合（ＳＤ２、Ｙｅｓ）には第２開閉処理（ＳＤ６）を起動させ、その後ＳＤ１へ移行する。なお、この第２開閉処理の処理内容の詳細については、後述する。
【００９２】
ＳＤ３において第１シャッター装置１０ａの制御部８４は、第１シャッター装置１０ａのシャッター側操作装置５０から出力される第１操作信号、第１シャッター装置１０ａの上限検知部６０から出力される上限検知信号、又は第１シャッター装置１０ａの下限検知部７０から出力される下限検知信号の入力が入力部８１によって受け付けられたか否かを判定する。そして、第１シャッター装置１０ａの制御部８４は、第１操作信号等の入力が受け付けられていないと判定された場合（ＳＤ３、Ｎｏ）にはＳＤ１へ移行し、第１操作信号等の入力が受け付けられたと判定された場合（ＳＤ３、Ｙｅｓ）にはＳＤ４へ移行する。
【００９３】
ＳＤ４において第１シャッター装置１０ａの開閉移動制御部８４ａは、ＳＤ３に受け付けられた第１操作信号、上限検知信号、又は下限検知信号に基づいて、シャッターカーテン３０を開閉移動させたり、又はシャッターカーテン３０の開閉移動を停止させ、その後ＳＤ１へ移行し、以降同様に、ＳＤ１からＳＤ６の処理を繰り返す。
【００９４】
このシャッターカーテン３０を開閉移動させる制御方法については任意であるが、実施の形態１では、以下に示す通りとなる（なお、後述するＳＥ４の処理についても同様とする）。すなわち、ＳＤ３にて第１操作信号の開放信号又は閉鎖信号の入力が受け付けられた場合には、その後当該開放信号又は閉鎖信号の入力の受け付けが継続していなくてもシャッターカーテン３０の開放移動又は閉鎖移動を行わせる（いわゆる、「自己保持操作によるシャッターカーテン３０の開閉移動の制御」を行う）。ただし、これに限られず、例えば、ＳＤ３にて第１操作信号の開放信号又は閉鎖信号の入力が受け付けられた場合において、この開放信号又は閉鎖信号の入力が受け付けられている間にのみシャッターカーテン３０の開放移動又は閉鎖移動を行わせてもよい（いわゆる、「押切操作によるシャッターカーテン３０の開閉移動の制御」を行う）。また、ＳＤ３にて第１操作信号の停止信号、上限検知信号、又は下限検知信号の入力が受け付けられた場合には、シャッターカーテン３０の開閉移動を停止させる。なお、実施の形態１では、電力供給装置１００のバッテリ１０５の電力消費を低減する観点から、商用電源からの電力供給が可能でない場合には、ＳＤ３及びＳＤ４の処理を実行させないものとする。
【００９５】
（処理−開閉処理−第１開閉処理）
次に、図７のＳＤ５の第１開閉処理について説明する。第１開閉処理は、対象シャッター装置のシャッターカーテン３０を開閉移動させるための処理である。
【００９６】
第１開閉処理が起動されると、図８に示すように、ＳＥ１において第１シャッター装置１０ａの開閉移動制御部８４ａは、図５のＳＢ２又はＳＢ１０において電力供給装置１００から出力される指定完了信号の入力が入力部８１によって受け付けられたか否かを判定する。そして、第１シャッター装置１０ａの開閉移動制御部８４ａは、指定完了信号の入力が受け付けられていないと判定された場合（ＳＥ１、Ｎｏ）にはＳＥ２へ移行し、指定完了信号の入力が受け付けられたと判定された場合（ＳＥ１、Ｙｅｓ）にはＳＥ３へ移行する。
【００９７】
ＳＥ２において第１シャッター装置１０ａの開閉移動制御部８４ａは、図５のＳＢ１３において電力供給装置１００から出力される終了信号の入力が入力部８１によって受け付けられたか否かを判定する。そして、第１シャッター装置１０ａの開閉移動制御部８４ａは、終了信号の入力が受け付けられていないと判定された場合（ＳＥ２、Ｎｏ）にはＳＥ１へ移行し、終了信号の入力が受け付けられたと判定された場合（ＳＥ２、Ｙｅｓ）には、第１開閉処理を終了し、図７の開閉処理に戻る。
【００９８】
ＳＥ３において第１シャッター装置１０ａの開閉移動制御部８４ａは、図５のＳＢ６において電力供給装置１００から出力される第２操作信号、第１シャッター装置１０ａの上限検知部６０から出力される上限検知信号、又は第１シャッター装置１０ａの下限検知部７０から出力される下限検知信号の入力が入力部８１によって受け付けられたか否かを判定する。そして、第１シャッター装置１０ａの開閉移動制御部８４ａは、第２操作信号等の入力が受け付けられたと判定された場合（ＳＥ３、Ｙｅｓ）にはＳＥ４へ移行し、第２操作信号等の入力が受け付けられていないと判定された場合（ＳＥ３、Ｎｏ）にはＳＥ５へ移行する。
【００９９】
ＳＥ４において第１シャッター装置１０ａの開閉移動制御部８４ａは、ＳＥ３に受け付けられた第２操作信号、上限検知信号、又は下限検知信号に基づいて、シャッターカーテン３０を開閉移動させたり、又はシャッターカーテン３０の開閉移動を停止させる。このようなＳＥ３、ＳＥ４の処理により、あらかじめ記憶された操作指示に基づいて対象シャッター装置（第１シャッター装置１０ａ）のシャッターカーテン３０を開閉移動させる場合に比べて、ユーザのニーズに応じて対象シャッター装置のシャッターカーテン３０を開閉移動させることができ、第１シャッター装置１０ａ及び第２シャッター装置１０ｂの使用におけるユーザの利便性を向上させることが可能になる。
【０１００】
ＳＥ５において第１シャッター装置１０ａの開閉移動制御部８４ａは、図５のＳＢ１０において電力供給装置１００から出力される解除信号の入力が入力部８１によって受け付けられたか否かを判定する。そして、第１シャッター装置１０ａの開閉移動制御部８４ａは、解除信号の入力が受け付けられたと判定された場合（ＳＥ５、Ｙｅｓ）にはＳＥ６へ移行し、解除信号の入力が受け付けられていないと判定された場合（ＳＥ５、Ｎｏ）にはＳＥ７へ移行する。
【０１０１】
ＳＥ６において第１シャッター装置１０ａの開閉移動制御部８４ａは、シャッターカーテン３０の開閉移動を停止させ（あるいは、ＳＥ６の処理直前に既にシャッターカーテン３０の開閉移動が停止している場合には、当該停止している状態を維持する）、その後ＳＥ１へ移行する。
【０１０２】
ＳＥ７において第１シャッター装置１０ａの開閉移動制御部８４ａは、図５のＳＢ１３において電力供給装置１００から出力される終了信号の入力が入力部８１によって受け付けられたか否かを判定する。そして、第１シャッター装置１０ａの開閉移動制御部８４ａは、終了信号の入力が受け付けられていないと判定された場合（ＳＥ７、Ｎｏ）にはＳＥ３へ移行し、終了信号の入力が受け付けられたと判定された場合（ＳＥ７、Ｙｅｓ）には、第１開閉処理を終了し、図７の開閉処理に戻る。
【０１０３】
このような第１開閉処理により、電力供給装置１００から供給される電力を用いて第１シャッター装置１０ａ又は第２シャッター装置１０ｂのシャッターカーテン３０を開閉移動させる場合に、電力供給装置１００によって指定された対象シャッター装置のシャッターカーテン３０を開閉移動させることができ、ユーザのニーズに対応するシャッター装置１０のシャッターカーテン３０を効果的に開閉移動させることが可能となる。
【０１０４】
（処理−開閉処理−第２開閉処理）
次に、図７のＳＤ６の第２開閉処理について説明する。第２開閉処理は、第１シャッター装置１０ａ又は第２シャッター装置１０ｂのシャッターカーテン３０を開放移動させるための処理である。
【０１０５】
第２開閉処理が起動されると、図９に示すように、ＳＦ１において第１シャッター装置１０ａの開閉移動制御部８４ａは、図６のＳＣ２において電力供給装置１００から出力される開放信号の入力が入力部８１によって受け付けられたか否かを判定する。
【０１０６】
ＳＦ２において第１シャッター装置１０ａの開閉移動制御部８４ａは、ＳＦ１にて受け付けられた開放信号に基づいて、シャッターカーテン３０を開放移動させる。
【０１０７】
ＳＦ３において第１シャッター装置１０ａの開閉移動制御部８４ａは、シャッターカーテン３０の状態が全開状態であるか否かを判定する。このシャッターカーテン３０の状態が全開状態であるか否かの判定方法については任意であるが、例えば、ＳＦ３の処理時において第１シャッター装置１０ａの上限検知部６０から出力される上限検知信号の入力が受け付けられたか否かに基づいて判定し、上限検知信号の入力が受け付けられている場合には全開状態であると判定し、上限検知信号の入力が受け付けられていない場合には全開状態でないと判定する。そして、第１シャッター装置１０ａの開閉移動制御部８４ａは、全開状態であると判定されるまで待機し（ＳＦ３、Ｎｏ）、全開状態であると判定された場合（ＳＦ３、Ｙｅｓ）にはＳＦ４へ移行する。
【０１０８】
ＳＦ４において第１シャッター装置１０ａの開閉移動制御部８４ａは、シャッターカーテン３０の開放移動を停止させ、その後第２開閉処理を終了し、図７の開閉処理に戻る。
【０１０９】
このような第２開閉処理により、電力供給装置１００から供給される電力を用いて、第１シャッター装置１０ａ及び第２シャッター装置１０ｂのシャッターカーテン３０を迅速に開放移動させることができ、例えば、火災等の災害に対する措置（一例として、消火措置等）を迅速に講じることが可能となる。
【０１１０】
（処理−具体的な処理内容）
続いて、開閉システム１によって実行される処理が実行される具体的な状況及びその場合の処理内容について、以下で説明する。
【０１１１】
（処理−具体的な処理内容−１つ目の具体的な例）
最初に、１つ目の具体的な例について説明する。１つ目の具体的な例については、第１シャッター装置１０ａ及び第２シャッター装置１０ｂの各々のシャッターカーテン３０の状態が全閉状態において、火災以外の原因（例えば、落雷等）により建物で停電が発生している場合に、第１シャッター装置１０ａ及び第２シャッター装置１０ｂの各々のシャッターカーテン３０の状態を半開状態にする場合には、以下に示す処理が行われる。
【０１１２】
すなわち、まず、電力供給処理では、図４のＳＡ１において第１電力供給タイミングが到来したと判定されると、図４のＳＡ２において第１起動信号が第１シャッター装置１０ａ及び第２シャッター装置１０ｂに向けて出力された後に、第１電力供給処理（ＳＡ３）が起動される。一方、第１シャッター装置１０ａ及び第２シャッター装置１０ｂの各々の開閉処理では、図７のＳＤ１において図４のＳＡ２にて出力された第１起動信号の入力が受け付けられると、第１開閉処理（ＳＤ５）が起動される。
【０１１３】
次に、第１電力供給処理では、まず、図５のＳＢ１において第１シャッター装置１０ａが対象シャッター装置として指定されると、図５のＳＢ２において指定完了信号が電力供給装置１００から第１シャッター装置１０ａに向けて出力され、図５のＳＢ４において第１シャッター装置１０ａに対して電力供給装置１００のバッテリ１０５から電力が供給される。次に、図５のＳＢ５において第２操作信号（具体的には、開放信号）の入力が受け付けられると、図５のＳＢ６においてこの第２操作信号が第１シャッター装置１０ａに向けて出力される。一方、第１シャッター装置１０ａの第１開閉処理では、図８のＳＥ１において図５のＳＢ２にて出力された指定完了信号の入力が受け付けられると共に、図８のＳＥ３において図５のＳＢ５にて出力された第２操作信号（開放信号）の入力が受け付けられると、図８のＳＥ４において第１シャッター装置１０ａのシャッターカーテン３０が開放移動される。
【０１１４】
次いで、第１電力供給処理では、第１シャッター装置１０ａのシャッターカーテン３０の下端部が全閉位置と全開位置との相互間に位置する際に、図５のＳＢ５において第２操作信号（具体的には、停止信号）の入力が受け付けられると、図５のＳＢ６においてこの第２操作信号が第１シャッター装置１０ａに向けて出力される。一方、第１シャッター装置１０ａの第１開閉処理では、図８のＳＥ３において図５のＳＢ５にて出力された第２操作信号（停止信号）の入力が受け付けられると、図８のＳＥ４において第１シャッター装置１０ａのシャッターカーテン３０の開放移動が停止される。
【０１１５】
次に、第１電力供給処理では、まず、図５のＳＢ９において第２シャッター装置１０ｂが対象シャッター装置として指定されると、図５のＳＢ１０において指定完了信号が電力供給装置１００から第２シャッター装置１０ｂに向けて出力されると共に、解除信号が電力供給装置１００から第１シャッター装置１０ａに向けて出力される。次いで、図５のＳＢ１１において第１シャッター装置１０ａに対する電力供給装置１００のバッテリ１０５からの電力供給が停止された後、図５のＳＢ４において第２シャッター装置１０ｂに対して電力供給装置１００のバッテリ１０５から電力が供給される。そして、図５のＳＢ５において第２操作信号（具体的には、開放信号）の入力が受け付けられると、図５のＳＢ６においてこの第２操作信号が第２シャッター装置１０ｂに向けて出力される。一方、第１シャッター装置１０ａの第１開閉処理では、図８のＳＥ５において解除信号の入力が受け付けられると、図８のＳＥ６において第１シャッター装置１０ａのシャッターカーテン３０の開放移動の停止状態が維持される。また、第２シャッター装置１０ｂの第１開閉処理では、図８のＳＥ１において図５のＳＢ２にて出力された指定完了信号の入力が受け付けられると共に、図８のＳＥ３において図５のＳＢ５にて出力された第２操作信号（開放信号）の入力が受け付けられると、図８のＳＥ４において第２シャッター装置１０ｂのシャッターカーテン３０が開放移動される。
【０１１６】
次いで、第１電力供給処理では、第２シャッター装置１０ｂのシャッターカーテン３０の下端部が全閉位置と全開位置との相互間に位置する際に、図５のＳＢ５において第２操作信号（具体的には、停止信号）の入力が受け付けられると、図５のＳＢ６においてこの第２操作信号が第２シャッター装置１０ｂに向けて出力される。一方、第２シャッター装置１０ｂの第１開閉処理では、図８のＳＥ３において図５のＳＢ５にて出力された第２操作信号（停止信号）の入力が受け付けられると、図８のＳＥ４において第２シャッター装置１０ｂのシャッターカーテン３０の開放移動が停止される。
【０１１７】
このような１つ目の具体的な例に対応する処理により、停電時には、電力供給装置１００から出力される第２操作信号に基づいて、第１シャッター装置１０ａ及び第２シャッター装置１０ｂの各々のシャッターカーテン３０を開放移動させたり、当該シャッターカーテン３０の開放移動を停止させることができ、ユーザのニーズに応じて第１シャッター装置１０ａ及び第２シャッター装置１０ｂの各々のシャッターカーテン３０を開閉移動させることが可能となる。
【０１１８】
（処理−具体的な処理内容−２つ目の具体的な例）
次に、２つ目の具体的な例について説明する。２つ目の具体的な例については、第１シャッター装置１０ａ及び第２シャッター装置１０ｂの各々のシャッターカーテン３０の状態が全閉状態において、火災により建物で停電が発生している場合に、第１シャッター装置１０ａ及び第２シャッター装置１０ｂの各々のシャッターカーテン３０の状態を全開状態にする場合には、以下に示す処理が行われる。
【０１１９】
すなわち、まず、電力供給処理では、第１シャッター装置１０ａの近傍に設けられた送水口金具に対して消防ホースを用いて送水することによって図４のＳＡ１において第２電力供給タイミングが到来したと判定されると、図４のＳＡ５において第２起動信号が第１シャッター装置１０ａ及び第２シャッター装置１０ｂに向けて出力された後に、第２電力供給処理（ＳＡ６）が起動される。一方、第１シャッター装置１０ａ及び第２シャッター装置１０ｂの各々の開閉処理では、図７のＳＤ２において図４のＳＡ５にて出力された第２起動信号の入力が受け付けられると、第２開閉処理（ＳＤ６）が起動される。
【０１２０】
次に、第２電力供給処理では、図６のＳＣ１において第１シャッター装置１０ａに対して電力供給装置１００のバッテリ１０５から電力が供給された後に、図６のＳＣ２において開放信号が第１シャッター装置１０ａに向けて出力される。一方、第１シャッター装置１０ａの第２開閉処理では、まず、図９のＳＦ１において図６のＳＣ２にて出力された開放信号の入力が受け付けられると、図９のＳＦ２において第１シャッター装置１０ａのシャッターカーテン３０が開放移動される。そして、図９のＳＦ３において第１シャッター装置１０ａのシャッターカーテン３０の状態が全開状態であると判定されると、図９のＳＦ４において第１シャッター装置１０ａのシャッターカーテン３０の開放移動が停止される。
【０１２１】
次いで、第２電力供給処理では、第１シャッター装置１０ａから出力される上限検知信号が入力されることによって図６のＳＣ３において第１停止タイミングが到来したと判定されると、図６のＳＣ４において第１シャッター装置１０ａに対する電力供給装置１００のバッテリ１０５からの電力供給が停止され、図６のＳＣ５において第２シャッター装置１０ｂに対して電力供給装置１００のバッテリ１０５から電力が供給された後に、図６のＳＣ６において開放信号が第２シャッター装置１０ｂに向けて出力される。一方、第２シャッター装置１０ｂの第２開閉処理では、まず、図９のＳＦ１において図６のＳＣ２にて出力された開放信号の入力が受け付けられると、図９のＳＦ２において第２シャッター装置１０ｂのシャッターカーテン３０が開放移動される。そして、図９のＳＦ３において第２シャッター装置１０ｂのシャッターカーテン３０の状態が全開状態であると判定されると、図９のＳＦ４において第２シャッター装置１０ｂのシャッターカーテン３０の開放移動が停止される。
【０１２２】
このような２つ目の具体的な例に対応する処理により、停電時には、電力供給装置１００から供給される電力を用いて、第１シャッター装置１０ａ及び第２シャッター装置１０ｂのシャッターカーテン３０を迅速に開放移動させることができ、消火措置を迅速に講じることが可能となる。
【０１２３】
（処理−具体的な処理内容−３つ目の具体的な例）
次に、３つ目の具体的な例について説明する。３つ目の具体的な例については、第１シャッター装置１０ａ及び第２シャッター装置１０ｂの各々のシャッターカーテン３０の状態が全閉状態において、建物で停電が発生していない場合に、第１シャッター装置１０ａ及び第２シャッター装置１０ｂの各々のシャッターカーテン３０の状態を全開状態にする場合には、以下に示す処理が行われる。
【０１２４】
すなわち、まず、第１シャッター装置１０ａの開閉処理では、図７のＳＤ３において第１シャッター装置１０ａのシャッター側操作装置５０から出力される第１操作信号（具体的には、開放信号）の入力が受け付けられると、図７のＳＤ４において第１シャッター装置１０ａのシャッターカーテン３０が開放移動される。そして、図７のＳＤ３において第１シャッター装置１０ａの上限検知部６０から出力される上限検知信号の入力が受け付けられると、図７のＳＤ４において第１シャッター装置１０ａのシャッターカーテン３０の開放移動が停止される。
【０１２５】
次に、第２シャッター装置１０ｂの開閉処理では、図７のＳＤ３において第２シャッター装置１０ｂのシャッター側操作装置５０から出力される第１操作信号（具体的には、開放信号）の入力が受け付けられると、図７のＳＤ４において第２シャッター装置１０ｂのシャッターカーテン３０が開放移動される。そして、図７のＳＤ３において第２シャッター装置１０ｂの上限検知部６０から出力される上限検知信号の入力が受け付けられると、図７のＳＤ４において第２シャッター装置１０ｂのシャッターカーテン３０の開放移動が停止される。
【０１２６】
このような３つ目の具体的な例に対応する処理により、通常時には、商用電源から供給される電力を用いて、第１シャッター装置１０ａ及び第２シャッター装置１０ｂの各々のシャッターカーテン３０を開放移動させたり、当該シャッターカーテン３０の開放移動を停止させることができ、通常のシャッター装置と同様の制御を行うことが可能となる。
【０１２７】
（実施の形態１の効果）
このように実施の形態１によれば、複数のシャッター装置１０のいずれか１つを対象シャッター装置として選択的に指定する指定手段と、指定手段によって指定された対象シャッター装置に対してバッテリ１０５から電力を供給させる供給制御部１０７ｂと、を備えたので、従来技術（２つのシャッター装置１０に対して決められた順に電力を供給する技術）に比べて、複数のシャッター装置１０のうちユーザのニーズに対応するシャッター装置１０に対して電力を効果的に供給させることができ、複数のシャッター装置１０の使用におけるユーザの利便性を向上させることが可能になる。
【０１２８】
また、電力供給装置１００から電力を供給している第１対象シャッター装置に代えて、第２対象シャッター装置に電力が供給する場合には、供給制御部１０７ｂが、第１対象シャッター装置に対するバッテリ１０５からの電力供給を停止させると共に、第２対象シャッター装置に対してバッテリ１０５から電力を供給させるので、電力供給装置１００の無駄な電力消費を回避でき、第２対象シャッター装置に対して駆動に必要な電力を確実に供給することが可能となる。
【０１２９】
また、供給制御部１０７ｂが、破損可能性状態でないと判定された場合には、対象シャッター装置に対するバッテリ１０５からの電力供給を継続させ、破損可能性状態であると判定された場合には、対象シャッター装置に対するバッテリ１０５からの電力供給を停止させるので、バッテリ１０５の過剰な使用等によってバッテリ１０５が破損することを回避でき、電力供給装置１００においてバッテリ１０５の破損に起因する故障の発生を抑制することが可能となる。
【０１３０】
また、複数のシャッター装置１０のうち、電力供給装置１００によって電力が供給される対象シャッター装置のシャッターカーテン３０を開閉移動させる開閉移動制御部８４ａを備えたので、電力供給装置１００から供給される電力を用いて複数のシャッター装置１０のシャッターカーテン３０を開閉移動させる場合に、電力供給装置１００によって指定された対象シャッター装置のシャッターカーテン３０を開閉移動させることができ、ユーザのニーズに対応するシャッター装置１０のシャッターカーテン３０を効果的に開閉移動させることが可能となる。
【０１３１】
また、開閉移動制御部８４ａが、操作部１０１によって受け付けられた操作指示に基づいて対象シャッター装置のシャッターカーテン３０を開閉移動させるので、あらかじめ記憶された操作指示に基づいて対象シャッター装置のシャッターカーテン３０を開閉移動させる場合に比べて、ユーザのニーズに応じて対象シャッター装置のシャッターカーテン３０を開閉移動させることができ、複数のシャッター装置１０の使用におけるユーザの利便性を一層向上させることが可能になる。
【０１３２】
〔実施の形態２〕
次に、実施の形態２に係る制御システムについて説明する。この実施の形態２は、外部電源手段をバッテリ及び発電機とした形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【０１３３】
（構成）
最初に、実施の形態２に係る制御システムが適用される開閉システムの構成について説明する。実施の形態２に係る開閉システム１は、実施の形態１に係る開閉システム１とほぼ同様に構成されている。ただし、電力供給装置１００の構成の詳細については、下記に示す工夫が施されている。
【０１３４】
（構成−電力供給装置）
次に、電力供給装置１００の構成の詳細について説明する。この電力供給装置１００は、図１０に示すように、操作部１０１、入力部１０２、出力部１０３、水圧検知部（図示省略）、検知部１０４、バッテリ１０５、発電機１０９、電力変換部１０６、制御部１０７、及び記憶部１０８を備えている。
【０１３５】
（構成−電力供給装置−操作部）
操作部１０１は、開放ボタン、閉鎖ボタン、停止ボタン、及び指定ボタンを備えていることに加えて、バッテリ１０５又は発電機１０９のいずれか一方の切り替えを指示する切替ボタンを備えている（いずれも図示省略）。そして、切替ボタンがユーザによって押圧された場合に、指定ボタンに応じた切替信号を制御装置８０に出力することで、電力の供給元をバッテリ１０５又は発電機１０９のいずれか一方に切り替えることができる。
【０１３６】
（構成−電力供給装置−発電機）
発電機１０９は、第１シャッター装置１０ａ及び第２シャッター装置１０ｂに対して電力を供給することが可能な外部電源手段であると共に、電力を発生させる電力発生手段であり、例えば、公知の発電機等を用いて構成されている。なお、実施の形態２では、この発電機１０９は、電力供給装置１００にあらかじめ設置されているものとして説明するが、これに限られず、例えば、電力供給装置１００にあらかじめ設置されておらず、外部から持ち運んで電力供給装置１００に取り付けたものであってもよい。
【０１３７】
（構成−電力供給装置−制御部）
制御部１０７は、図１０に示すように、機能概念的に、指定部１０７ａ、供給制御部１０７ｂ、判定部１０７ｃ、及び切替部１０７ｄを備えている。このうち、切替部１０７ｄは、操作部１０１から出力される切替信号に基づいてバッテリ１０５又は発電機１０９のいずれか一方を選択的に切り替えることにより、当該切り替えられたバッテリ１０５又は発電機１０９のいずれか一方からの対象シャッター装置に対する電力供給を可能とするものである。なお、上述した「操作部１０１の切替ボタン」及び「切替部１０７ｄ」は、特許請求の範囲における「切替手段」に対応する。
【０１３８】
（処理）
次に、このように構成された開閉システム１によって実行される処理について説明する。実施の形態２に係る開閉システム１によって実行される処理は、実施の形態１に係る開閉システム１によって実行される処理とほぼ同様に構成されている。ただし、第１電力供給処理の処理内容については、下記に示す工夫が施されている。
【０１３９】
（処理−第１電力供給処理）
ここで、第１電力供給処理について説明する。なお、実施の形態２に係る第１電力供給処理における図１１のＳＢ１、ＳＢ２、ＳＢ５からＳＢ１５は、実施の形態２に係る第１電力供給処理における図５のＳＢ１からＳＢ１３とそれぞれ同様であるので、説明を省略する。
【０１４０】
図１１に示すように、ＳＢ３において電力供給装置１００の制御部１０７は、操作部１０１から出力される切替信号の入力が入力部１０２によって受け付けられたか否かを判定する。そして、電力供給装置１００の制御部１０７は、切替信号の入力が受け付けられたと判定された場合（ＳＢ３、Ｙｅｓ）にはＳＢ４へ移行し、切替信号の入力が受け付けられていないと判定された場合（ＳＢ３、Ｎｏ）にはＳＢ５へ移行する。
【０１４１】
ＳＢ４において電力供給装置１００の切替部１０７ｄは、操作部１０１から出力される切替信号に基づいて、バッテリ１０５又は発電機１０９のいずれか一方を電力の供給元として切り替え、その後ＳＢ５へ移行する。
【０１４２】
このような第１電力供給処理により、ＳＢ６において、対象シャッター装置に対してＳＢ６にて切り替えられたバッテリ１０５又は発電機１０９のいずれか一方から電力が供給されるので、使用状況に応じてバッテリ１０５又は発電機１０９のいずれか一方からの電力供給を切り替えることができ、バッテリ１０５又は発電機１０９が破損することを一層回避することができる。
【０１４３】
（実施の形態２の効果）
このように実施の形態２によれば、供給制御部１０７ｂが、対象シャッター装置に対して切替手段によって切り替えられたバッテリ１０５又は発電機１０９のいずれか一方から電力を供給させるので、使用状況に応じてバッテリ１０５又は発電機１０９のいずれか一方からの電力供給を切り替えることができ、バッテリ１０５又は発電機１０９が破損することを一層回避することができる。
【０１４４】
〔ＩＩＩ〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１４５】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１４６】
（分散や統合について）
また、上述した各電気的構成要素は機能概念的なものであり、必ずしも物理的に図示の如く構成されていることを要しない。すなわち、各部の分散や統合の具体的形態は図示のものに限られず、その全部または一部を、各種の負荷や使用状況などに応じて、任意の単位で機能的または物理的に分散又は統合して構成できる。また、本出願における「装置」とは、単一の装置によって構成されたものに限定されず、複数の装置によって構成されたものを含む。例えば、電力供給装置１００を、相互に通信可能に構成された複数の装置に分散して構成し、これら複数の装置の一部に制御部１０７を設けると共に、これら複数の装置の他の一部に記憶部１０８を設けてもよい。
【０１４７】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【０１４８】
（シャッター装置について）
上記実施の形態１、２では、シャッター装置１０の設置数が２台（第１シャッター装置１０ａ及び第２シャッター装置１０ｂ）であると説明したが、これに限られず、例えば、３台以上であってもよい。この場合には、第２電力供給処理において、３台以上のシャッター装置１０に対して決められた順に電力供給装置１００から電力が供給される。また、第２開閉処理において、３台以上のシャッター装置１０の各々のシャッターカーテン３０の開放移動を決められた順に行う。
【０１４９】
（電力供給装置について）
上記実施の形態１、２では、電力供給装置１００が、第１シャッター装置１０ａの制御装置８０及び第２シャッター装置１０ｂの制御装置８０と接続されていると説明したが、これに限られず、例えば、第１シャッター装置１０ａの制御装置８０及び第２シャッター装置１０ｂの制御装置８０の各々と取り外し可能に接続されてもよい。これにより、例えば、電力供給装置１００を既設の複数のシャッター装置１０に容易に接続することができ、既設の複数のシャッター装置１０に対して電力を供給することが可能となる。
【０１５０】
また、上記実施の形態１、２では、電力供給装置１００の操作部１０１が、タッチパネルを用いて構成されていると説明したが、これに限られず、例えば、ハードスイッチを用いて構成されてもよい。
【０１５１】
また、上記実施の形態１、２では、電力供給装置１００の検知部１０４が、温度センサを用いて構成されていると説明したが、これに限られず、例えば、バッテリ１０５の電力消費状態を検知できるように、電力量センサを用いて構成されてもよい。
【０１５２】
また、上記実施の形態１では、電力供給装置１００のバッテリ１０５を備えていると説明したが、これに限られず、例えば、バッテリ１０５を省略して、発電機（具体的には、電力供給装置１００にあらかじめ設置された発電機、又は外部から持ち運んで電力供給装置１００に取り付けた発電機等）を備えてもよい。この場合には、電力供給装置１００の電力変換部１０６を省略してもよい。
【０１５３】
また、上記実施の形態１、２では、電力供給装置１００が、検知部１０４及び判定部１０７ｃを備えていると説明したが、これに限られず、例えば、検知部１０４及び判定部１０７ｃを省略してもよい。この場合には、例えば、実施の形態１に係る第１電力供給処理の図５のＳＢ３、ＳＢ７、及びＳＢ８の処理を省略できる。
【０１５４】
（水圧検知部について）
上記実施の形態１、２では、水圧検知部が電力供給装置１００に設けられていると説明したが、これに限られず、例えば、電力供給装置１００に代えて、第１シャッター装置１０ａ及び第２シャッター装置１０ｂの各々に設けられてもよい。この場合には、電力供給処理の図４のＳＡ４において、第１シャッター装置１０ａ又は第２シャッター装置１０ｂのいずれか一方の水圧検知部（又は両方の水圧検知部）から水圧検知信号の入力を入力部１０２によって受け付けられた場合に、図４のＳＡ５へ移行させる。
【０１５５】
（開閉システムによって実行される処理について）
上記実施の形態では、開閉システムによって実行される処理においては、第２電力供給処理及び第２開閉処理が実行されると説明したが、これに限られず、例えば、第２電力供給処理及び第２開閉処理を省略してもよい。この場合には、図４のＳＡ４からＳＡ６の処理、及び図７のＳＤ２、ＳＤ６の処理を省略できる。
【０１５６】
（第１電力供給処理について）
上記実施の形態１では、ＳＢ２及びＳＢ１０の処理が実行されると説明したが、これに限られず、例えば、ＳＢ２及びＳＢ１０を省略してもよい（なお、実施の形態２に係る第１電力供給処理についても同様とする）。この場合には、第１開閉処理の図８のＳＥ１、ＳＥ５、及びＳＥ６の処理を省略することができる。また、上記実施の形態１では、ＳＢ１３の処理が実行されると説明したが、これに限られず、例えば、ＳＢ１３を省略してもよい（なお、実施の形態２に係る第１電力供給処理についても同様とする）。この場合には、電力供給処理の図４のＳＡ２及びＳＡ５を省略できると共に、開閉処理の図７のＳＤ１、ＳＤ２、ＳＤ５、及びＳＤ６を省略できるが、図７のＳＤ３において第２操作信号（開放信号、閉鎖信号、停止信号）の入力が受け付けられるようにする。
【０１５７】
また、上記実施の形態１では、ＳＢ５及びＳＢ６の処理が実行されると説明したが、これに限られず、例えば、ＳＢ５及びＳＢ６を省略してもよい。この場合には、第１開閉処理の図８のＳＥ３において、第２操作信号の入力に代えて、シャッター側操作装置５０から出力される第１操作信号（開放信号、閉鎖信号、停止信号）の入力が受け付けられるようにする。また、図８のＳＥ４において、ＳＥ３に受け付けられた第１操作信号に基づいて、シャッターカーテン３０を開閉移動させたり、又はシャッターカーテン３０の開閉移動を停止させる。また、電力供給装置１００の操作部１０１の開放ボタン、閉鎖ボタン、及び停止ボタン（操作手段）を省略してもよい。
【０１５８】
（第１開閉処理について）
上記実施の形態１、２では、ＳＥ３において、第２操作信号、上限検知信号、又は下限検知信号の入力が受け付けられると説明したが、これに限られず、例えば、これらの信号に加えて、シャッター側操作装置５０から出力される第１操作信号（開放信号、閉鎖信号、停止信号）の入力が受け付けられてもよい。この場合には、ＳＥ４において、ＳＥ３に受け付けられた第１操作信号に基づいて、シャッターカーテン３０を開閉移動させたり、又はシャッターカーテン３０の開閉移動を停止させてもよい。
【０１５９】
（付記）
付記１の電力供給装置は、建物の複数の開口部の各々に設けられた複数のシャッター装置に対して電力を供給するための電力供給装置であって、前記複数のシャッター装置に対して電力を供給することが可能な外部電源手段と、前記複数のシャッター装置のいずれか１つを、前記外部電源手段から電力が供給される対象となる対象シャッター装置として選択的に指定する指定手段と、前記指定手段によって指定された前記対象シャッター装置に対して前記外部電源手段から電力を供給させる供給制御手段と、を備えた。
【０１６０】
付記２の電力供給装置は、付記１に記載の電力供給装置において、当該電力供給装置から電力を供給している前記対象シャッター装置である第１対象シャッター装置に代えて、前記第１対象シャッター装置とは異なる前記対象シャッター装置である第２対象シャッター装置に電力が供給する場合には、前記供給制御手段は、前記第１対象シャッター装置に対する前記外部電源手段からの電力供給を停止させると共に、前記第２対象シャッター装置に対して前記外部電源手段から電力を供給させる。
【０１６１】
付記３の電力供給装置は、付記１又は２に記載の電力供給装置において、前記外部電源手段が破損する可能性が高い破損可能性状態であるか否かを判定する判定手段を備え、前記供給制御手段は、前記判定手段によって前記破損可能性状態でないと判定された場合には、前記対象シャッター装置に対する前記外部電源手段からの電力供給を継続させ、前記判定手段によって前記破損可能性状態であると判定された場合には、前記対象シャッター装置に対する前記外部電源手段からの電力供給を停止させる。
【０１６２】
付記４の電力供給装置は、付記１から３のいずれか一項に記載の電力供給装置において、前記外部電源手段は、電力を蓄電するバッテリと、電力を発生させる発電機と、を含み、前記バッテリ又は前記発電機のいずれか一方を選択的に切り替えることにより、当該切り替えられた前記バッテリ又は前記発電機のいずれか一方からの前記対象シャッター装置に対する電力供給を可能とする切替手段を備え、前記供給制御手段は、前記対象シャッター装置に対して前記切替手段によって切り替えられた前記バッテリ又は前記発電機のいずれか一方から電力を供給させる。
【０１６３】
付記５の制御システムは、建物の複数の開口部の各々に設けられた複数のシャッター装置であって、対応する前記開口部を開閉するシャッターカーテンを備える複数のシャッター装置を制御するための制御システムであって、請求項１から４のいずれか一項に記載の電力供給装置と、前記複数のシャッター装置のうち、前記電力供給装置によって電力が供給される対象シャッター装置のシャッターカーテンを開閉移動させる開閉移動制御手段と、を備えた。
【０１６４】
付記６の制御システムは、付記５に記載の制御システムにおいて、前記対象シャッター装置のシャッターカーテンの開閉移動に関する操作指示を受け付けるための操作手段を備え、前記開閉移動制御手段は、前記操作手段によって受け付けられた前記操作指示に基づいて前記対象シャッター装置のシャッターカーテンを開閉移動させる。
【０１６５】
（付記の効果）
付記１に記載の電力供給装置によれば、複数のシャッター装置のいずれか１つを対象シャッター装置として選択的に指定する指定手段と、指定手段によって指定された対象シャッター装置に対して外部電源手段から電力を供給させる供給制御手段と、を備えたので、従来技術（２つのシャッター装置に対して決められた順に電力を供給する技術）に比べて、複数のシャッター装置のうちユーザのニーズに対応するシャッター装置に対して電力を効果的に供給させることができ、複数のシャッター装置の使用におけるユーザの利便性を向上させることが可能になる。
【０１６６】
付記２に記載の電力供給装置によれば、電力供給装置から電力を供給している第１対象シャッター装置に代えて、第２対象シャッター装置に電力が供給する場合には、供給制御手段が、第１対象シャッター装置に対する外部電源手段からの電力供給を停止させると共に、第２対象シャッター装置に対して外部電源手段から電力を供給させるので、電力供給装置の無駄な電力消費を回避でき、第２対象シャッター装置に対して駆動に必要な電力を確実に供給することが可能となる。
【０１６７】
付記３に記載の電力供給装置によれば、供給制御手段が、破損可能性状態でないと判定された場合には、対象シャッター装置に対する外部電源手段からの電力供給を継続させ、破損可能性状態であると判定された場合には、対象シャッター装置に対する外部電源手段からの電力供給を停止させるので、外部電源手段の過剰な使用等によって外部電源手段が破損することを回避でき、電力供給装置において外部電源手段の破損に起因する故障の発生を抑制することが可能となる。
【０１６８】
付記４に記載の電力供給装置によれば、供給制御手段が、対象シャッター装置に対して切替手段によって切り替えられたバッテリ又は発電機のいずれか一方から電力を供給させるので、使用状況に応じてバッテリ又は発電機のいずれか一方からの電力供給を切り替えることができ、バッテリ又は発電機が破損することを一層回避することができる。
【０１６９】
付記５に記載の制御システムによれば、複数のシャッター装置のうち、電力供給装置によって電力が供給される対象シャッター装置のシャッターカーテンを開閉移動させる開閉移動制御手段を備えたので、電力供給装置から供給される電力を用いて複数のシャッター装置のシャッターカーテンを開閉移動させる場合に、電力供給装置によって指定された対象シャッター装置のシャッターカーテンを開閉移動させることができ、ユーザのニーズに対応するシャッター装置のシャッターカーテンを効果的に開閉移動させることが可能となる。
【０１７０】
付記６に記載の制御システムによれば、開閉移動制御手段が、操作手段によって受け付けられた操作指示に基づいて対象シャッター装置のシャッターカーテンを開閉移動させるので、あらかじめ記憶された操作指示に基づいて対象シャッター装置のシャッターカーテンを開閉移動させる場合に比べて、ユーザのニーズに応じて対象シャッター装置のシャッターカーテンを開閉移動させることができ、複数のシャッター装置の使用におけるユーザの利便性を一層向上させることが可能になる。
【符号の説明】
【０１７１】
１  開閉システム
２ａ  第１開口部
２ｂ  第２開口部
３  天井
４  配線
１０  シャッター装置
１０ａ  第１シャッター装置
１０ｂ  第２シャッター装置
１１  シャッター収納部
２０  ガイドレール
３０  シャッターカーテン
３１  スラット
３２  座板
４０  開閉機
５０  シャッター側操作装置
６０  上限検知部
７０  下限検知部
８０  制御装置
８１  入力部
８２  出力部
８３  電源部
８４  制御部
８４ａ  開閉移動制御部
８５  記憶部
１００  電力供給装置
１０１  操作部
１０２  入力部
１０３  出力部
１０４  検知部
１０５  バッテリ
１０６  電力変換部
１０７  制御部
１０７ａ  指定部
１０７ｂ  供給制御部
１０７ｃ  判定部
１０７ｄ  切替部
１０８  記憶部
１０９  発電機
【図１】
2019056203.tif 000003
【図２】
2019056203.tif 000004
【図３】
2019056203.tif 000005
【図４】
2019056203.tif 000006
【図５】
2019056203.tif 000007
【図６】
2019056203.tif 000008
【図７】
2019056203.tif 000009
【図８】
2019056203.tif 000010
【図９】
2019056203.tif 000011
【図１０】
2019056203.tif 000012
【図１１】
2019056203.tif 000013